(57)【特許請求の範囲】
【請求項１】
外衣部と、
その外衣部の内方に着脱可能に設けられる内衣部とを有し、
外衣部は、
表地に撥水剤による撥水加工を施して構成され、
前記表地は、芳香族ポリアミド繊維または芳香族ポリイミド繊維の織布から成り、
内衣部は、外方から内方に順に、
外裏地と、
水蒸気を透過し、液体を透過せず、かつ温度が低い程、透湿度が小さくなるポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有するポリマフィルム層と、
中綿と、
内裏地とを含むことを特徴とする低温防護耐火服。
【請求項２】
外衣部と、
その外衣部の内方に着脱可能に設けられる内衣部とを有し、
外衣部は、
芳香族ポリアミド繊維または芳香族ポリイミド繊維の織布から成る表地と、
表地に形成され、気体および液体を透過しない合成樹脂層とを含み、
内衣部は、外方から内方に順に、
外裏地と、
水蒸気を透過し、液体を透過せず、かつ温度が低い程、透湿度が小さくなるポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有するポリマフィルム層と、
中綿と、
内裏地とを含むことを特徴とする低温防護耐火服。
【請求項３】
内衣部の袖口では、外裏地は、袖口の端部で折り返されてもう１つの裏地を形成し、内裏地との間で前記端部に臨む筒状の隙間を形成し、この隙間に、手袋の筒状の口を挟み込み、袖口において、外衣部の内周面と内衣部の外裏地の外周面とは、周方向に連続した環状の面ファスナによって着脱可能に構成されることを特徴とする請求項１または２記載の低温防護耐火服。
【請求項４】
内衣部の一部は、外裏地とポリマフィルム層とが重ねられた状態で、第１ミシン糸によって縫い合わされ、さらに相互に逆方向に延びる方向に折られた外裏地とポリマフィルム層とが、第２ミシン糸によって縫い合わされ、ポリマフィルム層上で、第１および第２ミシン糸の縫目上には、樹脂製テープが熱融着によって固定されて構成されることを特徴とする請求項１〜３のうちの１つに記載の低温防護耐火服。
【発明の詳細な説明】
【０００１】
【発明の属する技術分野】
本発明は、耐冷服の働きを有する低温防護耐火服に関する。
【０００２】
【従来の技術】
低温防護服は、たとえば液化天然ガスおよび液化プロパンガスなどの極低温液体を取扱う貯蔵タンクおよびタンクローリー車などにおける作業場で作業者が着用するものであって、たとえば−３０℃以下の極低温環境下でも作業者が凍傷を罹病しない低温断熱性能を有し、保温性が優れているとともに、耐極低温液体浸透性が要求されるとともに、人体から発生した汗などによる水蒸気を速やかに服外へ放散する性能を具備していることが要求される。
【０００３】
このような低温防護服の典型的な先行技術は、実開昭５９−３７３１５に開示され、これは図１０に示されている。衣服を形成する生地である基布は、表側から裏側に向け、芳香族ポリアミド系繊維の織布１と、弗素樹脂の多孔質フィルム２と、芳香族ポリアミド系繊維のフェルト３と、弗素樹脂の多孔質フィルム２ａと、芳香族ポリアミド系繊維の織布１ａとから成る多層構造とされる。これらの各層は、熱融着部４において部分的に接着される。こうして構成される生地の縫製は、全層を一体で施され、その縫目は、弗素樹脂製テープ５で覆われ、縫製部分での液密性を保持する。弗素樹脂の多孔質フィルム２，２ａは、極低温液体の浸透の防御と、服内の蒸れ防止との働きを果たす。
【０００４】
上述の先行技術では、水分のある環境下では、液化天然ガスおよび液化プロパンガスなどの低温物に触れた場合、生地が凍結するおそれがある。また生地は全層が一体で縫製されているので、作業条件、環境に応じた仕様を選択することができず、またこのような一体で縫製されていることによって、たとえば最外方の織布１が汚損した場合、修繕および洗濯が困難であるという問題もある。さらにこの先行技術では、熱融着部４で部分的に全層が接着されているので、その熱融着部４における物性が低下し、たとえば極低温液体が接触した場合には、熱融着部４が剥離するおそれがある。
【０００５】
【発明が解決しようとする課題】
本発明の目的は、極低温液体が接触しても生地である布が凍結するおそれがなく、作業条件、環境に応じた仕様を選択することができ、さらに極低温液体が接触しても損傷することがない耐久性に優れた低温防護耐火服を提供することである。
【０００６】
【課題を解決するための手段】
本発明は、外衣部と、
その外衣部の内方に着脱可能に設けられる内衣部とを有し、
外衣部は、
表地に撥水剤による撥水加工を施して構成され、
前記表地は、芳香族ポリアミド繊維または芳香族ポリイミド繊維の織布から成り、
内衣部は、外方から内方に順に、
外裏地と、
水蒸気を透過し、液体を透過せず、かつ温度が低い程、透湿度が小さくなるポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有するポリマフィルム層と、
中綿と、
内裏地とを含むことを特徴とする低温防護耐火服である。
また本発明は、外衣部と、
その外衣部の内方に着脱可能に設けられる内衣部とを有し、
外衣部は、
芳香族ポリアミド繊維または芳香族ポリイミド繊維の織布から成る表地と、
表地に形成され、気体および液体を透過しない合成樹脂層とを含み、
内衣部は、外方から内方に順に、
外裏地と、
水蒸気を透過し、液体を透過せず、かつ温度が低い程、透湿度が小さくなるポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有するポリマフィルム層と、
中綿と、
内裏地とを含むことを特徴とする低温防護耐火服である。
また本発明は、内衣部の袖口では、外裏地は、袖口の端部で折り返されてもう１つの裏地を形成し、内裏地との間で前記端部に臨む筒状の隙間を形成し、この隙間に、手袋の筒状の口を挟み込み、袖口において、外衣部の内周面と内衣部の外裏地の外周面とは、周方向に連続した環状の面ファスナによって着脱可能に構成されることを特徴とする。
また本発明は、内衣部の一部は、外裏地とポリマフィルム層とが重ねられた状態で、第１ミシン糸によって縫い合わされ、さらに相互に逆方向に延びる方向に折られた外裏地とポリマフィルム層とが、第２ミシン糸によって縫い合わされ、ポリマフィルム層上で、第１および第２ミシン糸の縫目上には、樹脂製テープが熱融着によって固定されて構成されることを特徴とする。
【０００７】
本発明に従えば、外衣部と内衣部とを含む低温防護耐火服における外衣部の表地の内面もしくは外面または表地内にシリコン樹脂などの合成樹脂の撥水剤によって撥水加工を施す。これによって極低温液体が接触しても、低温物性の凍結を防ぐことができる。
【０００８】
低温防護耐火服は、外衣部と、その外衣部の内方にたとえばオープンファスナなどと呼ばれるスライドファスナ、面状ファスナまたは複数の点状留め具などの取付け手段で着脱可能とされる内衣部とを含む。
【０００９】
内衣部のたとえば中綿の厚みが異なるなどの各種仕様を有する内衣部を準備し、作業条件、環境、たとえば温度に応じた仕様を有する低温防護耐火服を選択して着用することができる。すなわち各種仕様の内衣部を使用状況に応じて選択し、各種の内衣部を取換えることによって、作業環境温度に応じた使用の低温防護耐火服を着用することができる。
【００１０】
外衣部と内衣部とは着脱可能であるので、たとえば外衣部が汚損した場合、外衣部だけを修繕および洗濯することができる。このことは内衣部に関しても同様である。したがって修繕および洗濯が容易である。
【００１１】
外衣部と内衣部とが着脱可能であるので、外衣部および内衣部を個別に準備して取付けて一体化すればよい。したがってこれら二者をたとえば点在状に熱融着加工を施す必要はない。したがってその熱融着加工に起因した物性低下が生じることはなく、すなわち極低温液体が降りかかった場合における熱融着部分の物性低下が生じることはない。したがって極低温液体が降りかかった場合に熱融着部分が剥離などして破損することはない。これによって耐極低温液体浸透防止機能が確実に達成される。
【００１２】
表地を撥水加工することによって、その表地を構成する繊維の表面を撥水剤、たとえばシリコン樹脂などによって被覆する。これによって極低温液体などの液体が玉状になってころがり落ち、また表地の微細な透過孔が塞がれてしまうことはなく、気体および液体を通過する状態を保つことができ、発汗時の蒸れを防止することができる。
【００１３】
本発明に従えば、外衣部の表地の内面にシリコン樹脂の層を形成して撥水加工を施し、またはその表地に合成樹脂層を形成し、しかも外衣部と内衣部とを、前述のようにファスナまたは点状留め具などの取付け手段で着脱可能としたので、たとえば水分のある環境下において極低温液体による生地の凍結を防ぐことができ、作業条件、環境に応じた仕様を選択することができ、外衣部または内衣部だけの汚損時の修繕、洗濯が容易であり、さらに極低温液体の接触時などにおける破損などが生じることが防がれる。
【００１４】
本発明に従えば、外衣部の表地の内面もしくは外面または表地内に、たとえばシリコンゴムなどの合成ゴムを含む可撓性合成樹脂層をコーティングする。この構成によれば、完全防水形生地で外衣部を構成することができる。したがって極低温液体だけでなく、極低温気体の服内部への侵入を阻止することができる。さらに前述の請求項１とともに、内衣部を共用し、外衣部を、上述の撥水加工を施した外衣部と、合成樹脂層を施した外衣部とを選択して用いることができる。このようにして各種の仕様を有する低温防護耐火服の選択が可能になる。
【００１５】
【００１６】
ポリマフィルム層は、人体から発生される汗の水蒸気を透過して蒸れ防止機能を達成するとともに、液化天然ガスおよび液化プロパンガスなどの極低温液体を透過しない極低温液体浸透防止機能を有する。
【００１７】
ポリマフィルム層が上述のように配置されているので、極低温液体が作業者に直接に降りかかることがあり得る現場であっても、本件低温防護耐火服を着用していることによって、極低温液体がたとえ外衣部を浸透してきても内衣部によって極低温液体の浸透防御を確実にすることができる。ポリマフィルム層は、たとえば放水されている状況下で、または雨天での作業時に、水などの液体が浸透を防ぐ働きをする。ポリマフィルム層は、単一枚または複数枚のポリマフィルムから成ってもよい。
【００１８】
【００１９】
ポリマフィルム層は、環境温度に対応した透湿制御が可能であり、いわば温度反応記憶機能を有する。したがってポリマフィルム層によって極低温液体が人体側に直接に侵入することを防ぐことができるとともに、その温度が低い程、透湿度が小さくなるので、ポリマフィルム層の表面付近でガス化した低温気体は、そのポリマフィルム層を透過しない。したがってたとえば約−５０℃以下の低温気体が、ポリマフィルム層を介して人体側に入込むことが防がれ、低温気体によって人体が凍傷を生じるおそれがなく、また保湿性が向上される。極低温液体または極低温気体がポリマフィルム層に接触しない通常の状態では、ポリマフィルム層は、超耐水性状態および高透湿状態に自動的に変化する。したがって発汗による水蒸気を外部に放散することが円滑に行われ、蒸れることはなく、放熱効果を達成することができる。
【００２０】
こうしてポリマフィルム層の温度と連動した透湿制御を行うことができ、これによって低温時には保温機能を達成し、また人体の発汗時などの高温時には放熱効果を発現することができる。
【００２１】
【００２２】
【００２３】
【００２４】
【発明の実施の形態】
図１は、本発明の実施の一形態の低温防護耐火服１１の一部の断面図である。この低温防護耐火服１１は、耐冷服の働きを有し、たとえば液化天然ガスおよび液化プロパンガスなどの極低温液体を取扱う作業場で作業者が着用する。
【００２５】
図２は、低温防護耐火服１１の全体の構成を示す斜視図である。この低温防護耐火服１１は、いわゆるセパレートタイプまたはツーピースタイプであって、上衣１２とズボンである下衣１３とを含む。
【００２６】
図３は、上衣１２の内側から見た展開図である。上衣１２は、外衣部１４と、その外衣部１４の内方に着脱可能に設けられる内衣部１５とを含む。外衣部１４と内衣部１５とは、その外衣部１４の内方でスライドファスナ１６，１７によって着脱可能である。これらのスライドファスナ１６，１７は、外衣部１４の前身ごろの前身端付近に上下に延びてそれぞれ設けられる。
【００２７】
図４は、下衣１３の一部を示す斜視図である。この下衣１３は、外衣部１９と、その外衣部１９の内方にスライドファスナ２１によって着脱可能に設けられる内衣部２０とを含む。スライドファスナ２１は、身ごろ上端線付近に環状に設けられる。外衣部１４，１９の断面構造は、同一である。内衣部１５，２０の断面構造は、同一である。
【００２８】
再び図１を参照して、外衣部１４は、撥水加工が施された表地３１を有する。この撥水加工のための撥水剤であるシリコン樹脂は、参照符３２で示されている。撥水剤であるシリコン樹脂３２は、表地３１のたとえば内面（図１の下方の面）に塗布され、これによって上述のようにその表地３１の繊維の表面を被覆することができる。図１では便宜のために、シリコン樹脂３２を層状に示してある。この撥水加工は、表地３１の外面（図１の上方の表面）にシリコン樹脂が塗布されて達成されてもよく、または表地３１内に浸透されてもよい。
【００２９】
表地３１は、芳香族ポリアミド繊維の織布から成り、シリコン樹脂を繊維の表面に被覆することによる撥水加工が施されて構成される。撥水加工のためのシリコン樹脂の被覆層の厚みは、たとえば５μｍである。シリコン樹脂の撥水加工によって、液体が玉状になってころがり落ち、表地３１および高水分吸収シート３３などの低温物への凍結を防止することができるとともに、気体および液体を通過する状態を保つ。
【００３０】
芳香族ポリアミド繊維は、約−２６９℃の液体ヘリウムに接触しても硬化せず、柔軟性を保持しているので、極低温液体に直接に暴露される状況下でも、本件低温防護耐火服の運動機能性は損なわれない。しかも液化天然ガスおよび液化プロパンガスなどのような可燃性ガスが発火し、本件低温防護耐火服がその火炎に晒されても、燃焼することはなく、耐火性および耐炎性をも有している。表地３１は、たとえば厚み０．３ｍｍ、密度約１８０ｇ／ｃｍ2であってもよい。芳香族ポリアミド繊維の代わりに、芳香族ポリイミド繊維であってもよい。表地３１は織布である。表地３１は、本件低温防護耐火服１１の強度を向上する働きを果たすとともに、上述のように撥水加工されることによって、極低温液体などの液体が侵入することを防ぐ働きを果たす。芳香族ポリアミド繊維の織布は、たとえば帝人エクスファイアーＣＸ２７２２ＯＲ（商品名）として商業的に入手可能である。
【００３１】
上衣１２の内衣部１５は、外方から内方（図１の上から下）に順に、外裏地３４と、ポリマフィルム層３５と、中綿３６と、内裏地３７とを含む。中綿３６と内裏地３７とは、糸によって縫い合わせるキルティング加工によって一体化されている。外裏地３４、ポリマフィルム層３５、中綿３６および内裏地３７を一体的に縫製することによって、内衣部１５を構成する。
【００３２】
外裏地３４および内裏地３７は、芳香族ポリアミド繊維の織布であり、たとえば帝人コーネックスＣ０１５１１ＮＢ（商品名）として商業的に入手可能である。
【００３３】
ポリマフィルム層３５は、水蒸気を透過し、液体を透過しない両機能を有する素材である。このポリマフィルム層３５は、ポリウレタン組成物である。このポリウレタン組成物は、イソシアネートとポリオールと鎖延長剤を反応させて成るポリウレタン組成物であって、ガラス転移点を約−１０℃〜約２０℃の範囲に有し、このポリマ中に少なくとも７．０ｍｏｌ／ｋｇ以上のエチレンオキシドを含有する。イソシアネートとしては、４，４′−ジフェニルメタンジイソシアネート（ＭＤＩ）および水添加ＭＤＩなどがある。ポリオールはポリエチレングリコールとポリテトラメチレングリコールの混合物から成り、これらの分子量が５００〜３０００の範囲である。またポリオールは、ポリエチレングリコールとエチレンオキシドとアジピン酸のエステルの混合物から成り、これらの分子量が５００〜３０００の範囲である。鎖延長剤は、たとえばエチレングリコールなどである。
【００３４】
ガラス転移点を上述の範囲に定めることによって、４０℃と１０℃の透湿度の比が２以上となり、温度が低い程、透湿度が小さくなる特性を有する。このポリウレタン組成物から成るポリマフィルム層３５は、薄い無孔質メンブレンをラミネート加工したものであって、このメンブレンを構成するポリマ分子は、温度によってミクロブラウン運動、すなわち熱振動を起こす特性を有し、外気温が上昇したり、低温時でも激しい運動で衣服内温度が上昇すると、ミクロブラウン運動が活発化し、図５に示されるように、互いのポリマ分子２３の隙間、すなわち自由体積が大きくなり、水の分子２５が矢符２６のように通り抜けるだけの微細孔が生じる。これによって発汗時の水蒸気の透過量を増大させ、衣服内の蒸れ防止機能が達成される。図５において参照符２３はポリマ分子であり、参照符２４は分子鎖であり、参照符２５は水蒸気の分子を示す。水蒸気の分子２５は、人体側（図５の下方）から外方（図５の上方）に、すなわち表地３１側に矢符２６で示されるように移動する。このポリウレタン組成物は、たとえばディアメイト（三菱重工業株式会社製商品名）として商業的に入手可能である。
【００３５】
【００３６】
上述のポリウレタン組成物は、弗素樹脂の多孔質フィルムとは異なり、多孔質構造を有しておらず、無孔質素材であり、上述のようにその透湿機構は、ミクロブラウン運動を利用した温度反応記憶機能を有するので、温度と連動した透湿制御が可能であり、低温時には保温機能を達成し、常温などの高温時には放熱効果を発現することができる。このポリマフィルム層３５の厚みは、たとえば１０μｍである。
【００３７】
中綿３６は、複数枚、たとえば２枚の不織布を重ねた構成を有する。この不織布は、芳香族ポリアミド繊維から成り、１枚の厚みは、それぞれたとえば約２ｍｍである。この不織布は、帝人コーネックスＣ０９０１５ＷＳ（商品名）として商業的に入手可能である。この中綿３６はまた、難燃性材料であるアラミド繊維から成る不織布などであってもよい。中綿３６は、断熱層を形成する。この中綿３６の厚みを各種異なる内衣部１５を取換えることによって、作業環境温度に応じた仕様を有する低温防護耐火服を選択して着用することができる。不織布の代わりに他の布が用いられてもよい。
【００３８】
下衣１３の外衣部１９は、前述の外衣部１４と同様に構成され、また内衣部２０は前述の内衣部１５と同様に構成される。
【００３９】
図６は、内衣部１５の一部の断面図である。外裏地３４にはポリマフィルム層３５が重ねられた状態で、ミシン糸５６によって縫い合わされるとともに、さらに相互に逆方向に延びる方向に折られた外裏地３４とポリマフィルム層３５とが、ミシン糸５７によって縫い合わされる。さらにテープ５８が、ポリマフィルム層３５上で、ミシン糸５６，５７の縫目上に貼り合わせられる。このテープ５８は、ウレタン系樹脂であって、厚みは約１００μｍである。テープ５８は、熱融着によって、これらのミシン糸５６，５７の縫目上に固定される。これによってミシン目部分における極低温液体に対する気密性を確保し、内衣部１５の縫目における耐液体浸透性を保持する。
【００４０】
外衣部１４に関してもまた、表地３１の縫目は、図６の外裏地３４と同様にして、気密に固定される。
【００４１】
図７は、上衣１２の袖口５９付近の断面図である。内衣部１５の袖口５９では、外裏地３４は、袖口５９の端部６０で折り返されてもう１つの裏地６１を形成し、内裏地３７との間で端部６０に臨む筒状の隙間６２を形成する。この隙間６２に、手袋６３の筒状の口６４を挟み込む。袖口５９において、外衣部１４の内周面と内衣部１５の外裏地３４の外周面とは、周方向に連続した環状の面ファスナ６５によって着脱可能に構成される。したがって袖口５９の端部６０付近で、上衣１２の袖口５９を取外し可能に締付けて固定することができる。これによって激しい運動時にも、外衣部１４と内衣部１５とがずれることはなく、また手袋６３と上衣１２の袖口５９との隙間が気密にされる。
【００４２】
ズボンである下衣１３のすそ口に靴下の口ゴムまたは靴の筒状上端部を挟み込んで、図７の袖口５９に手袋６３を挟み込む構成と同様にして、着脱可能に取付けることができる。
【００４３】
図８は、本発明の実施のさらに他の形態の簡略化した斜視図である。本発明は、上述のツーピースタイプの低温防護耐火服１１に関連して実施されるだけでなく、図８に示されるようにワンピースタイプ、つなぎ形または煙管服タイプの低温防護耐火服６６に関してもまた、実施することができる。さらに本発明は、コート形の低温防護耐火服に関しても実施することができる。
【００４４】
図９は、スライドファスナ１６の正面図である。一方の芯紐６８は、外衣部１４の内面に縫付けられて固定される。他方の芯紐６９は、内衣部１５の外表面に縫付けられて固定される。芯紐６８，６９に固定されたエレメント７０をスライダ７１の移動によって連結、離脱する。エレメント７０の配列方向の一端部には、上止７２が設けられ、また他端部には相互に離脱可能に下止７３が設けられる。もう１つのスライドファスナ１７もまた、スライドファスナ１６と同様に構成される。
【００４５】
本件発明者の実験結果を述べる。実施例１〜３、比較例１において、外衣部１４のシリコン樹脂３２の厚みが表１のように異なり、また内衣部１５の中綿３６の枚数が表１のように異なる。
【００４６】
【表１】
0003634595.tif 000002
【００４７】
実施例１は、図１〜図７に示される構成を有し、上衣１２の外衣部１４は、帝人エクスファイアＣＸ２７２２ＯＲ（商品名）である芳香族ポリアミド繊維の織布から成る表地３１の内面に、厚み５μｍのシリコン樹脂３２をコーティングして撥水処理を施した。内衣部１５では、帝人コーネックスＣ０１５１１ＮＢ（商品名）である芳香族ポリアミド繊維の織布から成る外裏地３４と、ディアメイト（商品名）である厚み１０μｍのポリマフィルム層３５と、帝人コーネックスＣ０９０１５ＷＳ（商品名）である厚み２ｍｍの芳香族ポリアミド繊維のフェルトまたは不織布を２枚重ねた中綿３６と、帝人コーネックスＣ０１５１１ＮＢ（商品名）である芳香族ポリアミド繊維の織布から成る内裏地３７とによって構成される。中綿３６と内裏地３７とはキルティング加工で一体化され、これらの各層３４〜３７を一体縫製した。図６に示される構成では、テープ５８は、ウレタン樹脂から成り、１００μｍの厚みを有し、熱融着によって貼り合わせた。下衣１３に関しても、上衣１２と同様な構成を有する。
【００４８】
表１に示されるように、実施例２では、シリコン樹脂３２の厚みは２００μｍであって、気体および液体を透過しないように構成し、完全防水形とする。内衣部１５の中綿３６は、３枚とし、極低温液体の漏洩する危険性が高い状況において、使用することができるようにする。
【００４９】
実施例３では、中綿３６を１枚とし、その他の構成は、実施例１と同様とした。
【００５０】
比較例１では、ポリマフィルム層３５は、帝人エクスファイアＣＸ２９４２ＮＢ（商品名）である芳香族ポリアミド繊維の織布とした。比較例１における内衣部１５における中綿３６は、使用されない。比較例１における内衣部１５は、中綿３６を含まない。
【００５１】
表２は、上述の実施例１〜３、比較例１における火炎防護性および低温断熱性の試験結果を示す。表２における試験は、温度２０℃、湿度４０％である大気開放下で行った。
【００５２】
【表２】
0003634595.tif 000003
【００５３】
火炎防護性試験は、国際工業規格ＩＳＯ  ＤＩＳ−５１９０に基づく試験結果であり、試料に８０ｋＷ／ｃｍ2の熱量を供給し続けたときに、試料裏側の温度が室温２０℃から２４℃まで上昇する時間を測定した。実施例１〜３の火炎防護性試験結果によれば、温度上昇時間は２０秒以上であり、たとえば東京消防庁消防科学研究所の規定する時間である１５秒を充分満足することができる性能を有していることが確認された。比較例１の火炎防護性試験結果によれば、温度上昇時間は１０秒であり、短い。したがって実施例１〜３の本件低温防護耐火服は、高温雰囲気中でも用いることができ、耐高温性能を有している。
【００５４】
表２における「−５０℃」の低温断熱性試験は、試料を−５０℃の低温物に接触した場合の断熱性を測定した結果であり、本件各実施例１〜３、比較例１の低温防護耐火服の内面の温度が−５℃まで低下する時間を測定した。低温時の断熱性に関して、人体組織は、外気温度が−１０℃になると凍結し始める。実施例１〜３、比較例１では、いずれも３０分経過しても−５℃まで温度は低下せず、充分な低温断熱性を有することが確認された。
【００５５】
表２における「−１５０℃」の低温断熱性試験は、１５０℃の低温物に試料を接触した場合に、本件低温防護耐火服の内面が−５℃まで低下する時間を示し、「液体窒素暴露」は、試料を、−１９６℃、圧力２ｋｇ／ｃｍ2の液体窒素に暴露させた場合の同様な低温断熱性試験結果である。
【００５６】
これらの各低温断熱性試験結果によれば、突発的に極低温液体が漏洩した場合、その場所から緊急避難が可能な性能を充分に有していることが確認された。実際には、人体の皮膚組織へは血流などによって熱量が供給されるので、前述の液体窒素暴露による低温断熱性試験時に、皮膚表面温度が５℃まで低下する時間は、実施例１では約４分、実施例２では約７分であった。このことから、極低温液体の漏洩量が大量でない場合における漏洩個所の応急修理および人命救助にも、実施例１〜３を実施することができることが確認された。
【００５７】
このような実施例１〜３の構成を有する低温防護耐火服において、実施例２の構成を有する低温防護耐火服を常備しておくことによって、漏洩個所の応急修理および人命救助が可能である。また外衣部１４は、実施例１，３，４に示される構成と、実施例２に示される構成との合計２種類を準備し、また内衣部１５は、実施例１〜３に示されるように中綿３６の枚数が異なるもの、さらには中綿３６の枚数が４以上の構成を有する内衣部１５を複数種類準備することによって、外気温度または使用環境、条件に応じた多種類の仕様の低温防護耐火服を選択して着用することができる。たとえば実施例１の外衣部１４と実施例１〜３のうちのいずれか１つの内衣部１５との組合わせによって低温防護耐火服を実現することができる。また実施例２の外衣部１４と、実施例１〜３のうちのいずれか１つの内衣部１５との組合わせによって低温防護耐火服を実現することもできる。
【００５８】
【発明の効果】
本発明によれば、液化天然ガスおよび液化プロパンガスなどの極低温液体を取扱う貯蔵タンクの日常点検および搬入作業を行う作業者およびタンクローリー車の運搬作業者などが、本発明の低温防護耐火服を着用することによって、突発的な事故による極低温液体の漏洩時および火災発生時に、作業現場からの安全な緊急避難が可能になり、死亡および重傷につながるような受傷を未然に防ぐことができる。
【００５９】
表地にシリコン樹脂などの撥水剤による撥水加工を施して外衣部が構成されるので、低温物への凍結を防ぐことができ、水分のある環境下において生地が凍結するおそれはなく、強度が保たれるとともに、本件低温防護耐火服を着用している人の円滑な運動が可能である。
【００６０】
外衣部と内衣部とを着脱可能としたので、たとえば中綿厚みが種々異なる内衣部を準備して選択的に外衣部に取付けることによって、その作業環境の温度に応じた仕様を有する低温防護耐火服を選択することができる。そのようなたとえば中綿厚みなどの仕様が異なる内衣部を取換えることによって、作業環境温度に応じた仕様を有する低温防護耐火服を着用することができる。
【００６１】
さらに外衣部および内衣部が着脱可能であるので、それらのいずれか一方または両者が汚損した場合、選択および修繕などの保守点検が容易であるという効果もある。内衣部に比べて外衣部が破損される確率が高く、外衣部が破損された場合、その外衣部を内衣部から取外し、容易に修繕、洗濯さらには交換が可能である。
【００６２】
さらに外衣部と内衣部とを着脱可能にすることによって、これらの二者を熱融着で結着する必要はない。これによって熱融着に起因した物性低下を招くことはなく、したがって極低温液体が本件低温防護耐火服に降りかかって接触した場合における熱融着部における剥離などの破損の可能性がなく、耐極低温液体浸透性を確実に達成することができ、安全性が確保される。
【００６３】
本発明によれば、外衣部の表地に合成ゴムなどの合成樹脂層を施して構成したので、極低温液体が直接接触する環境下での長時間作業の場合、完全防水形生地によって、その極低温液体および極低温気体が服内部に侵入することを阻止することができる。合成樹脂層を施した表地を有する外衣部を用いることによって、極低温環境下における貯蔵タンクおよびタンクローリー車などの応急修理作業が可能になる。さらに内衣部を、前述の請求項１の構成と共用化し、請求項１の撥水加工された表地を有する外衣部と、合成ゴム層を施した表地を有する外衣部とを選択して用いることによって、作業条件、温度などの作業環境に応じた仕様の低温防護耐火服を選択することができるようになる。
【００６４】
本発明の低温防護耐火服を、極低温液体に直接暴露される可能性のある作業現場において着用することによって、作業者が蒸れによる不快感を覚えることなく、快適な作業が可能になる。
【００６５】
ポリマフィルム層は環境温度に応じて反応する素材であり、したがってポリマフィルム層の表面でガス化した低温気体を人体側に侵入することを防ぎ、たとえば約−５０℃以下の低温気体が人体に入込むことをポリマフィルム層によって防ぎ、凍傷になることを防ぐとともに、そのような低温気体がポリマフィルム層の表面付近に存在しない通常の状態では、人体の発汗による水蒸気を透過することを確実にして、蒸れ防止機能が達成される。
【００６６】
表地に撥水加工された外衣部を用い、または、合成樹脂層が形成された表地を有する外衣部を用い、この外衣部に内衣部を着脱可能に取付けて低温防護耐火服を構成することによって、上述の各発明の効果を、同様に達成することができる。
本発明によれば、外衣部の前記表地は、芳香族ポリアミド繊維または芳香族ポリイミド繊維の織布から成るので、約−２６９℃の液体ヘリウムに接触しても硬化せず、柔軟性を保持しているので、極低温液体に直接に暴露される状況下でも、本件低温防護耐火服の運動機能性は損なわれない。しかも液化天然ガスおよび液化プロパンガスなどのような可燃性ガスが発火し、本件低温防護耐火服がその火炎に晒されても、燃焼することはなく、耐火性および耐炎性をも有している。
また本発明によれば、袖口の端部付近で、上衣の袖口を取外し可能に締付けて固定することができる。これによって激しい運動時にも、外衣部と内衣部とがずれることはなく、また手袋と上衣の袖口との隙間が気密にされる。
また本発明によれば、ミシン目部分における極低温液体に対する気密性を確保し、内衣部の縫目における耐液体浸透性を保持することができる。
【図面の簡単な説明】
【図１】本発明の実施の一形態の低温防護耐火服１１の一部の断面図である。
【図２】低温防護耐火服１１の全体の構成を示す斜視図である。
【図３】上衣１２の内側から見た展開図である。
【図４】下衣１３の一部を示す斜視図である。
【図５】ポリマフィルム層３５である無孔質の前記ポリウレタン組成物に水蒸気の分子２５が透過する状態を説明するための図である。
【図６】内衣部１５の一部の断面図である。
【図７】上衣１２の袖口５９付近の断面図である。
【図８】本発明の実施のさらに他の形態の簡略化した斜視図である。
【図９】スライドファスナ１６の正面図である。
【図１０】先行技術の一部の断面図である。
【符号の説明】
１１，６６  低温防護耐火服
１２  上衣
１３  下衣
１４，１９  外衣部
１５，２０  内衣部
１６，１７  スライドファスナ
３１  表地
３２  シリコン樹脂
３４  外裏地
３５  ポリマフィルム層
３６  中綿
３７  内裏地
５６，５７  ミシン糸
５８  テープ
５９  袖口
６０  端部
６１  裏地
６２  隙間
６３  手袋
【図１】
0003634595.tif 000004
【図２】
0003634595.tif 000005
【図３】
0003634595.tif 000006
【図４】
0003634595.tif 000007
【図５】
0003634595.tif 000008
【図６】
0003634595.tif 000009
【図７】
0003634595.tif 000010
【図８】
0003634595.tif 000011
【図９】
0003634595.tif 000012
【図１０】
0003634595.tif 000013